(57)【特許請求の範囲】
【請求項１】
テレビのカメラ操作者がビューファインダを観視しながら、カメラ操作器で番組台本の進行に従った適正なカメラワークを学習することの可能なカメラワーク学習装置において、当該装置が、カメラ操作以外の番組進行をテレビ番組記述言語ＴＶＭＬで記述した番組台本を読み込む実時間番組映像生成部と、該実時間番組映像生成部から出力されたスタジオ全景映像を映し出すスタジオ全景映像表示装置と、カメラ操作者が前記表示装置のスタジオ全景映像に向かってカメラビューファインダを観視しながらカメラを操作したときのカメラワークのデータを出力するカメラワークデータ生成部と、出力された前記データを収集するカメラデータ収集部と、収集された前記データを前記実時間番組映像生成部を介してカメラ操作者に観視せしめるための前記カメラビューファインダと、収集された前記データを蓄積するカメラデータ蓄積部と、学習目標カメラデータが予め記憶された学習目標カメラデータ記憶部と、前記カメラデータ蓄積部に蓄積されたデータと前記学習目標カメラデータ記憶部に記憶されたデータとを比較するデータ比較部とを具備したことを特徴とするカメラワーク学習装置。
【請求項２】
請求項１記載の装置において、前記データ比較部の出力をカメラ操作者の習熟度として提示する習熟度提示部をさらに具えることを特徴とするカメラワーク学習装置。
【発明の詳細な説明】
【０００１】
【発明の属する技術分野】
この発明は、テレビジョン番組制作において、コンピュータを用いてカメラワークの学習（トレーニング）を行う装置を提供し、特に、そのトレーニングの進行度を客観的に評価する装置に関するものである。
【０００２】
【従来の技術】
テレビジョン番組制作は番組の進行を記述した番組台本が存在し、この中にカメラワークの指示を含めた、テレビジョン番組制作に必要な内容が記述されている。カメラマンはその番組台本の指示に従いカメラを操作する。この際、番組台本には、例えば「アナウンサにズームイン」など、必要最小限のカメラ操作に関する記述がされているのみであり、カメラマンは番組台本による指示に加えて、例えば、「どんなタイミングでどんかスピードでカメラを操作するか」といったカメラ操作に関する技術によりこれを補完し、カメラを操作している。従来、このカメラ操作技術トレーニングは、カメラ操作を熟知した者が、トレーニングを受ける者に対して、それぞれの場面ごとに、最適なカメラワークを経験的に教えることにより行っていた。
また、カメラ操作の習熟度の提示には、カメラ操作に熟知した者が、トレーニングを受ける者が操作するカメラの撮影映像を見て、主観的に評価することにより行っていた。
【０００３】
【発明が解決しようとする課題】
従来のカメラ操作に関するトレーニング方法では、カメラ操作に関して熟知した者がトレーニングを行う際に、本人のみが持つカメラ操作に関する癖を、トレーニングを受ける者に対して学習させてしまう問題があった。また、スタジオなどでのカメラ操作を学習する際には、スタジオの設備そのものが必要で、トレーニングをするために、実際の番組制作と同じ規模の設備を使用しなければならず、複数人数のトレーニングを同時に行うことができないなどトレーニングの効率の面で問題があった。
【０００４】
そこで本発明の目的は、前述の課題を排除し、カメラワークの前記トレーニングの習熟度が客観的に評価可能な、実際の番組制作と同規模の設備を必要としない、複数人数のトレーニングが同時可能なカメラワーク学習装置を提供せんとするものである。
【０００５】
【課題を解決するための手段】
前記目的を達成するためのカメラワーク学習装置は、テレビのカメラ操作者がビューファインダを観視しながら、カメラ操作器で番組台本の進行に従った適正なカメラワークを学習することの可能なカメラワーク学習装置において、当該装置が、カメラ操作以外の番組進行をテレビ番組記述言語ＴＶＭＬで記述した番組台本を読み込む実時間番組映像生成部と、該実時間番組映像生成部から出力されたスタジオ全景映像を映し出すスタジオ全景映像表示装置と、カメラ操作者が前記表示装置のスタジオ全景映像に向かってカメラビューファインダを観視しながらカメラを操作したときのカメラワークのデータを出力するカメラワークデータ生成部と、出力された前記データを収集するカメラデータ収集部と、収集された前記データを前記実時間番組映像生成部を介してカメラ操作者に観視せしめるための前記カメラビューファインダと、収集された前記データを蓄積するカメラデータ蓄積部と、学習目標カメラデータが予め記憶された学習目標カメラデータ記憶部と、前記カメラデータ蓄積部に蓄積されたデータと前記学習目標カメラデータ記憶部に記憶されたデータとを比較するデータ比較部とを具備したことを特徴とするものである。
【０００６】
さらに前記学習装置は、前記データ比較部の出力をカメラ操作者の習熟度として提示する習熟度提示部をさらに具えていてもよい。
【０００７】
【発明の実施の形態】
以下添付図面を参照し実施例により本発明の実施の形態を詳細に説明する。
図１に本発明カメラワーク学習方法に使用される装置実施例の全体構成ブロック線図を示す。
トレーニングを受けようとするカメラ操作者１は、予め設定された番組台本２を読みながらトレーニングを受ける。操作者１は、番組台本２を読み込んだ実時間番組映像生成部３から出力されたスタジオ全景映像スクリーン１０を見ながら、カメラワークデータ生成部５の操作を行う。カメラワークデータ生成部５から出力されたカメラワークデータはカメラデータ収集部６を介して、カメラデータ蓄積部７と実時間番組映像生成部３に分配される。実時間番組映像生成部３は、カメラデータ収集部６から受け取ったカメラデータに従い、番組映像を生成してカメラビューファインダ４に出力する。カメラデータ蓄積部７に蓄積されたカメラワークデータと学習目標カメラデータ記憶部８に予め記憶された学習目的カメラワークデータとをデータ比較部９で比較し、その結果を習熟度として出力する。
【０００８】
番組台本２には我々が開発しているテレビジョン番組記述言語ＴＶＭＬ（詳細は以下を参照：「テレビ番組制作言語ＴＶＭＬとその言語仕様」映像情報メディア学会冬季大会，４−４，ｐｐ．８７（１９９７））の仕様に基づいて記述されたＴＶＭＬスクリプトを使用する。ＴＶＭＬスクリプトとはＴＶＭＬ言語仕様に沿って記述された番組台本のことである。実時間番組映像生成部３には、このＴＶＭＬ言語仕様に記述された番組台本を解釈し、テレビジョン番組を出力するＴＶＭＬプレイヤと呼ばれるソフトウェアを使用して番組映像を生成する。
【０００９】
図２は図１に示したカメラワークデータ生成部５の詳細な図である。図３は図２で示したカメラワークデータ生成部５のデータの流れ図である。
カメラ三脚１１のパン及びチルトの回転部にパン角検出用ロータリエンコーダ１２とチルト角検出用ロータリエンコーダ１３を取り付け、パン角及びチルト角の角度データをパラレルシリアルデータ変換器１４の入力に接続する。また、ズーム量の検出は、テレビカメラに付属されているズームのスイッチの機構部分をカメラ三脚１１に取り付け、そのスイッチの押下した大きさに合わせてデータを出力するズーム量検出用ロータリエンコーダ１５のズーム量データをパラレルシリアルデータ変換器１４の入力に接続する。パラレルシリアルデータ変換器１４は、それぞれ入力された角度データ及びズーム量データを、カメラデータ収集部６にカメラデータとして送るために、パラレル−シリアル変換を行い出力する。また、このカメラ三脚１１にカメラビューファインダ４を取り付け、カメラ三脚１１に実際にカメラが乗せてあるように感じることの出来る適切なテンションをかけ、スタジオ全景映像１０を見ながら、カメラワークデータ生成部５の操作を行う。
【００１０】
図４は図１で示したデータ比較部９のデータ処理の流れを示した図である。
カメラデータ蓄積部７と学習目標カメラデータ記憶部８の両方からカメラデータを受け取り、その各々のカメラデータの時系列をあわせて、差分回路１７で差分を計算し、その差分を積分回路１８で積分する。積分された結果はタイマ１９の信号により、データ蓄積部２０に送られる。データ蓄積部２０では積分回路１８から受け取ったカメラデータを時系列に整理して蓄積している。習熟度演算部２１ではデータ蓄積部２０から送られてきたデータを受け取り、そのデータから習熟度を計算して結果を出力する。
【００１１】
以上一実施例によって本発明の実施の形態を詳細に説明してきたが、本発明はこれに限定されることなく、特許請求の範囲に規定された発明の要旨内で各種の変形、変更は自明である。
【００１２】
【発明の効果】
以上説明してきたように本発明によれば、カメラワークデータ生成部から、カメラデータ収集部を介して、実時間番組映像生成部で生成される番組をもとにトレーニングすることによって、スタジオセットや仮想的なスタジオなどの大規模な設備を必要とせずに、全く同条件でのスタジオの下で反復した練習を行うことが出来、テレビジョン番組制作におけるカメラ操作のトレーニングに必要とする設備を効率化したり、カメラ操作に関するトレーニングを容易に行うことが出来、番組制作におけるトレーニングの効率化をはかれる。
【００１３】
また、これら一連のカメラ操作者をカメラデータ収集部を介して、カメラデータを蓄積し、そのカメラデータと、予めカメラワークデータ学習記憶部が持っている学習目標カメラデータと比較することで、容易に客観的な評価を提示することが可能となる。
【図面の簡単な説明】
【図１】  図１は本発明カメラワーク学習装置実施例の全体構成ブロック線図を示す。
【図２】  図２はカメラワーク学習装置のカメラワークデータ生成部の詳細図を示す。
【図３】  図３はカメラワーク学習装置におけるカメラワークデータ生成部のデータ流れ図を示す。
【図４】  図４はカメラワーク学習装置におけるデータ比較部のデータ処理流れ図を示す。
【符号の説明】
１  カメラ操作者
２  番組台本
３  実時間番組映像生成部
４  カメラビューファインダ
５  カメラワークデータ生成部
６  カメラデータ収集部
７  カメラデータ蓄積部
８  学習目標カメラデータ記憶部
９  データ比較部
１０  スタジオ全景映像スクリーン
１１  カメラ三脚
１２  パン角検出用ロータリエンコーダ
１３  チルト角検出用ロータリエンコーダ
１４  パラレル−シリアルデータ変換器
１５  ズーム量検出用ロータリエンコーダ
１７  差分回路
１８  積分回路
１９  タイマ
２０  データ蓄積部
２１  習熟度演算部
【図１】
0003927737.tif 000002
【図２】
0003927737.tif 000003
【図３】
0003927737.tif 000004
【図４】
0003927737.tif 000005